(57)【特許請求の範囲】
【請求項１】
各画素回路において有機エレクトロルミネッセンス素子を発光素子として用い、各画素回路では供給される表示データ信号に基づく輝度の発光動作を行う表示パネル部と、
上記表示パネル部に供給する表示データ信号について、１ライン期間毎に、現在の水平ラインから遡った、少なくとも或る水平ラインの画素発光が開始される水平期間において、発光期間となっているラインの総数に相当するライン数以上の、所定ライン数の範囲における最大階調値を検出する最大階調値検出部と、
１ライン期間毎に、上記有機エレクトロルミネッセンス素子の発光駆動用の電源電圧値情報を、上記最大階調値検出部で検出された最大階調値が小さいほど小さくなるように生成する電圧制御部と、
上記電圧制御部で生成された電源電圧値情報に基づいて、上記表示パネル部の各画素回路に供給する上記有機エレクトロルミネッセンス素子の発光駆動用の電源電圧値を１ライン期間毎に変化させる駆動電圧可変部と、
を備えた表示装置。
【請求項２】
上記最大階調値検出部は、上記表示パネル部に供給する表示データ信号について、１水平ライン毎に最大階調値を検出し、検出した最大階調値を、少なくとも上記所定ライン数の範囲に相当する期間、記憶していくとともに、記憶されている上記所定ライン数の範囲での各最大階調値の中での最大階調値を、現在の水平ラインから遡った上記所定ライン数の範囲での最大階調値として検出する請求項１に記載の表示装置。
【請求項３】
上記所定ライン数の範囲とは、１フレーム相当のライン数の範囲である請求項１に記載の表示装置。
【請求項４】
上記所定ライン数の範囲とは、或る水平ラインの画素発光が開始される水平期間において、発光期間となっているラインの総数に相当するライン数の範囲である請求項１に記載の表示装置。
【請求項５】
上記電圧制御部は、
上記最大階調値検出部から供給される最大階調値に応じた、上記有機エレクトロルミネッセンス素子のアノード−カソード間電圧を算出し、算出したアノード−カソード間電圧に基づいて、上記有機エレクトロルミネッセンス素子の発光駆動用の電源電圧値情報を生成する請求項１に記載の表示装置。
【請求項６】
上記最大階調値検出部は、上記表示パネル部に供給する表示データ信号について、表示色毎に、現在の水平ラインから遡った上記所定ライン数の範囲における最大階調値を検出し、
上記電圧制御部は、上記最大階調値検出部から供給される表示色毎の最大階調値のそれぞれに応じた、上記有機エレクトロルミネッセンス素子のアノード−カソード間電圧を算出し、算出した表示色毎のアノード−カソード間電圧のうちの最大のアノード−カソード間電圧に基づいて、上記有機エレクトロルミネッセンス素子の発光駆動用の電源電圧値情報を生成する請求項１に記載の表示装置。
【請求項７】
表示データ信号を、上記最大階調値検出部と、上記電圧制御部と、上記駆動電圧可変部とによる発光駆動用の電源電圧可変動作のための時間分、遅延させて上記表示パネル部に供給する表示データ遅延部を、さらに備えた請求項１に記載の表示装置。
【請求項８】
各画素回路において有機エレクトロルミネッセンス素子を発光素子として用い、各画素回路では供給される表示データ信号に基づく輝度の発光動作を行う表示パネル部を備えた表示装置の表示駆動方法として、
上記表示パネル部に供給する表示データ信号について、１ライン期間毎に、現在の水平ラインから遡った、少なくとも或る水平ラインの画素発光が開始される水平期間において、発光期間となっているラインの総数に相当するライン数以上の、所定ライン数の範囲における最大階調値を検出するステップと、
１ライン期間毎に、上記有機エレクトロルミネッセンス素子の発光駆動用の電源電圧値情報を、上記最大階調値検出部で検出された最大階調値が小さいほど小さくなるように生成するステップと、
生成された上記電源電圧値情報に基づいて、上記表示パネル部の各画素回路に供給する上記有機エレクトロルミネッセンス素子の発光駆動用の電源電圧値を１ライン期間毎に変化させるステップと、
を備えた表示駆動方法。
【発明の詳細な説明】
【技術分野】
【０００１】
本発明は、発光素子として有機エレクトロルミネッセンス素子（有機ＥＬ素子）を用いた表示装置と、その表示駆動方法に関する。
【背景技術】
【０００２】
【特許文献１】特開２００６−６５１４８号公報
【特許文献２】特開２００５−３２６８３０号公報
【特許文献３】特開２００４−１３８９７６号公報
【０００３】
フラットパネルディスプレイは、コンピュータディスプレイ、携帯端末、テレビジョン受像器などの製品で広く普及している。現在、主には液晶ディスプレイパネルが多く採用されているが、依然、視野角の狭さや、応答速度の遅さが指摘され続けている。一方、自発光素子で形成された有機エレクトロルミネッセンス（Electroluminescence：以下、ＥＬ）ディスプレイは、前記の視野角や応答性の課題を克服できるのに加え、バックライト不要の薄い形態、高輝度、高コントラストを達成できるため、液晶ディスプレイに代わる次世代表示装置として期待されている。
【０００４】
有機ＥＬディスプレイにおいては、液晶ディスプレイと同様、その駆動方式としてパッシブマトリクス方式とアクティブマトリクス方式とがある。前者は構造が単純であるものの、大型且つ高精細のディスプレイの実現が難しいなどの問題がある為、現在はアクティブマトリクス方式の開発が盛んに行なわれている。このアクティブマトリクス方式は、各画素回路内部の発光素子に流れる電流を、画素回路内部に設けた能動素子（一般には薄膜トランジスタ：ＴＦＴ）によって制御するものである。
【発明の開示】
【発明が解決しようとする課題】
【０００５】
ところで有機ＥＬディスプレイは、現在実用化されているものも存在する中でありながら、消費電力の高さがまだまだ問題視されている。全ての表示装置にとっても共通して言えることでもあるが、消費電力を抑えることや、負荷の急変動の影響を抑制させることは、装置全体の消費電力を低くし、電源システムの規模も削減できる視点から、取組むべき大きな課題として捉えられている。
ところが有機ＥＬディスプレイは自発光ディスプレイであり、画面内の平均表示輝度が高いほど、消費電力を多く必要とする。従って、明るく綺麗な表示を実現する、一般的な高画質化と低消費電力化を両立させることは今まで困難とされてきた。
【０００６】
なお上記各特許文献には、低消費電力化のための各種技術が開示されているが、低消費電力化のために輝度低下など、画質の低下を避け得ないという課題が残されている。
そこで本発明では、画質の低下を引き起こさせずに、消費電力を低減させることができる手法を提案することを目的とする。
【課題を解決するための手段】
【０００７】
本発明の表示装置は、各画素回路において有機エレクトロルミネッセンス素子を発光素子として用い、各画素回路では供給される表示データ信号に基づく輝度の発光動作を行う表示パネル部と、上記表示パネル部に供給する表示データ信号について、１ライン期間毎に、現在の水平ラインから遡った、少なくとも或る水平ラインの画素発光が開始される水平期間において、発光期間となっているラインの総数に相当するライン数以上の、所定ライン数の範囲における最大階調値を検出する最大階調値検出部と、１ライン期間毎に、上記有機エレクトロルミネッセンス素子の発光駆動用の電源電圧値情報を、上記最大階調値検出部で検出された最大階調値が小さいほど小さくなるように生成する電圧制御部と、上記電圧制御部で生成された電源電圧値情報に基づいて、上記表示パネル部の各画素回路に供給する上記有機エレクトロルミネッセンス素子の発光駆動用の電源電圧値を１ライン期間毎に変化させる駆動電圧可変部とを備える。
【０００８】
また上記最大階調値検出部は、上記表示パネル部に供給する表示データ信号について、１水平ライン毎に最大階調値を検出し、検出した最大階調値を、少なくとも上記所定ライン数の範囲に相当する期間、記憶していくとともに、記憶されている上記所定ライン数の範囲での各最大階調値の中での最大階調値を、現在の水平ラインから遡った上記所定ライン数の範囲での最大階調値として検出する。
上記所定ライン数の範囲とは、１フレーム相当のライン数の範囲である。
或いは、上記所定ライン数の範囲とは、或る水平ラインの画素発光が開始される水平期間において、発光期間となっているラインの総数に相当するライン数の範囲である。
また上記電圧制御部は、上記最大階調値検出部から供給される最大階調値に応じた、上記有機エレクトロルミネッセンス素子のアノード−カソード間電圧を算出し、算出したアノード−カソード間電圧に基づいて、上記有機エレクトロルミネッセンス素子の発光駆動用の電源電圧値情報を生成する。
【０００９】
また上記最大階調値検出部は、上記表示パネル部に供給する表示データ信号について、表示色毎に、現在の水平ラインから遡った上記所定ライン数の範囲における最大階調値を検出する。上記電圧制御部は、上記最大階調値検出部から供給される表示色毎の最大階調値のそれぞれに応じた、上記有機エレクトロルミネッセンス素子のアノード−カソード間電圧を算出し、算出した表示色毎のアノード−カソード間電圧のうちの最大のアノード−カソード間電圧に基づいて、上記有機エレクトロルミネッセンス素子の発光駆動用の電源電圧値情報を生成する。
また表示データ信号を、上記最大階調値検出部と、上記電圧制御部と、上記駆動電圧可変部とによる発光駆動用の電源電圧可変動作のための時間分、遅延させて上記表示パネル部に供給する表示データ遅延部を、さらに備える。
【００１０】
本発明の表示駆動方法は、各画素回路において有機エレクトロルミネッセンス素子を発光素子として用い、各画素回路では供給される表示データ信号に基づく輝度の発光動作を行う表示パネル部を備えた表示装置の表示駆動方法であり、上記表示パネル部に供給する表示データ信号について、１ライン期間毎に、現在の水平ラインから遡った、少なくとも或る水平ラインの画素発光が開始される水平期間において、発光期間となっているラインの総数に相当するライン数以上の、所定ライン数の範囲における最大階調値を検出するステップと、１ライン期間毎に、上記有機エレクトロルミネッセンス素子の発光駆動用の電源電圧値情報を、上記最大階調値検出部で検出された最大階調値が小さいほど小さくなるように生成するステップと、生成された上記電源電圧値情報に基づいて、上記表示パネル部の各画素回路に供給する上記有機エレクトロルミネッセンス素子の発光駆動用の電源電圧値を１ライン期間毎に変化させるステップとを備える。
【００１１】
有機ＥＬ素子の消費電力は、有機ＥＬ素子に流れる電流に、有機ＥＬ素子のアノード−カソード間の電圧を乗じたもので算出される。ただ、実際には、表示階調に応じた定電流を流すための手段として、ＴＦＴによる駆動トランジスタを用いる。駆動トランジスタは、ディスプレイが使用されるあらゆる環境において、定電流駆動を実現させる為、特性に対しマージンを持ったドレイン−ソース間電圧が与えられる構成になっている。したがって、（設計マージンを持った駆動トランジスタのドレイン−ソース間電圧）＋（有機ＥＬ素子のアノード−カソード間電圧）で決められたある一定値を発光駆動用電源電圧として有機ＥＬパネルに供給させることが一般的である。つまり消費電力は、有機ＥＬ素子に流れる電流に、この発光駆動用の電源電圧を乗じたもので表されることになる。
【００１２】
ここで、有機ＥＬ素子に流す電流は、発光させたい輝度に対して決まってしまうため、高効率の材料やデバイス構造が開発されない限り低消費電力化は図れないが、発光駆動用電源電圧は駆動トランジスタや有機ＥＬ素子の特性に合わせて適宜コントロールすることが可能になる。そこで、有機ＥＬ素子のＩ−Ｖ（流れる電流対アノード−カソード間電位差）特性を利用する。
【００１３】
有機ＥＬ素子は、発光するためのある電流が流れているときに、有機ＥＬ素子の両端（アノード−カソード間）に電位差が発生している。
一般的に電流が小さい（輝度が低い）時は有機ＥＬ素子の両端の電位差が小さく、電流が大きく（輝度が高く）なるにつれて電位差も大きくなる特性をもっている。このことは、輝度が低い時は不必要な過電圧がかかっており、不必要な消費電力を発生させていることにもなる。
有機ＥＬ素子は、このように電流値に応じて、アノード−カソード間電圧が変動する。
そして、上記のように有機ＥＬ素子のアノード−カソード間電圧は、発光駆動用の電源電圧値設定の基準の１つとなっているが、逆に言えば、アノード−カソード間電圧が低下する場合は、その分、電源電圧値を低下させてもよいことになる。
【００１４】
そしてこの場合、電源電圧値の低下量は、表示パネルで発光駆動する各画素回路のうちで最大階調（その時点で最も高輝度の階調）で発光させる画素回路での有機ＥＬ素子のアノード−カソード間電圧を基準にして決めればよい。即ち最大階調値で発光される画素回路の有機ＥＬ素子のアノード−カソード間電圧が、他の全ての画素回路の有機ＥＬ素子のアノード−カソード間電圧よりも大きくなり、最大階調値でのアノード−カソード間電圧を基準にして、印加する電源電圧値を低下させれば、全ての画素回路において輝度低下を引き起こさないような電源電圧低下が実行できるためである。
例えば１フレーム期間における最大階調値を基準にして電源電圧値を決めれば、その１フレームの表示の際には、当該決定した電源電圧を与えればよい。
【００１５】
ところが、このような電源電圧可変制御を適切に行うためには、最大階調値に基づいて可変した或る電源電圧値を与える期間において、上記最大階調値が、確かに発光中の全画素回路に対する階調値の中での最大階調値となっていなければならない。
ここで、マトリクス状に配置された画素回路が線順次駆動方式で発光駆動されることを考慮する。線順次駆動方式は、最上段のラインから最下段に向けて１ラインずつスキャンされて発光が行われる。或るフレームにおいて最終ラインのスキャンが行われた後は、ブランキング期間を経て、次のフレームの最上段のラインからのスキャンが行われる。
各ラインの画素回路の発光期間は、その発光期間長がスキャンパルスのデューティで決められるが、最長で、１フレーム期間程度まで長くすることができる。
すると、ライン毎のスキャンタイミング毎にみた殆どの場合、１画面上の表示画像は、前後の２フレームの表示データによる発光状態が併存していることになる。
つまり、１フレーム単位で最大階調値を検出したとしても、実際にその最大階調値の検出対象とした１フレームの表示データ信号のみによる発光が行われているのは、そのフレームの最終ラインのスキャンが行われた時点のみであり、その直後、最上段ラインから順次、次のフレームの表示データ信号による発光動作が行われ、画面上は前後２つのフレームの表示データ信号による発光動作状態が併存する。
結局、１フレームの表示データ信号の最大階調値を検出し、電源電圧値を可変制御しても、適切に発光駆動用電源電圧を反映することが出来なくなってしまう。
【００１６】
そこで本発明では、最大階調値検出部が、表示パネル部に供給する表示データ信号について、１ライン期間毎に、現在の水平ラインから遡った所定ライン数の範囲における最大階調値を検出するようにする。
そして電圧制御部では、１ライン期間毎に、上記最大階調値検出部で検出された最大階調値を少なくとも用いて上記有機エレクトロルミネッセンス素子の発光駆動用の電源電圧値情報を生成し、駆動電圧可変部は、上記電圧制御部で生成された電源電圧値情報に基づいて、上記表示パネル部の各画素回路に供給する上記有機エレクトロルミネッセンス素子の発光駆動用の電源電圧値を１ライン期間毎に変化させる。
このようにすることで、常に、或る電源電圧値を表示パネル部に与える際には、その電源電圧値の決定の基準となった最大階調値が、実際に発光駆動されている最大階調値とすることができる。
【発明の効果】
【００１７】
本発明によれば、発光が行われる、現スキャンラインからさかのぼって所定ライン数の範囲（例えば１フレーム相当のライン数の範囲）における最大階調値を検出し、その最大階調値から得られる有機ＥＬ素子の両端電圧を使用して、最大限低減させられる最適な電源電圧値を、１水平周期毎に算出し、電源電圧値を可変制御できる。これによって、常に全ての画素での発光輝度を維持でき、画質低下を招くことなく無駄な消費電力の最大限の削減を実現できるという効果がある。
また、有機ＥＬ素子のＩ−Ｖ特性は、表示色毎にも多少の違いはあるため、表示色毎に最大階調値を検出し、表示色毎に最も有機ＥＬ素子の両端電圧が大きくなるものを選んで、それを基準として電源電圧値を決定することで、より正確な電源可変制御が可能となる。
【発明を実施するための最良の形態】
【００１８】
以下、本発明の表示装置、表示駆動方法の実施の形態を説明する。
図１に実施の形態の表示装置の構成を示す。本例の表示装置は、有機ＥＬ素子を発光素子として用いる有機ＥＬディスプレイパネルモジュール１と、表示データ遅延部２と、最大両端電圧算出部３と、駆動電圧決定部４と、駆動電圧可変部５と、ライン内最大階調検出部６と、１Ｖ期間内最大階調検出部７を備える。
【００１９】
まず図２、図３、図４を参照して有機ＥＬディスプレイパネルモジュール１について述べる。
図２に有機ＥＬディスプレイパネルモジュール１の構成の一例を示す。この有機ＥＬディスプレイパネルモジュール１は、有機ＥＬ素子を発光素子とし、アクティブマトリクス方式で発光駆動を行う画素回路１０を含むものである。
図２に示すように、有機ＥＬディスプレイパネルモジュール１は、画素回路１０が列方向と行方向にマトリクス状に配列された画素アレイ部２０と、データドライバ１１と、ゲートドライバ１２，１３，１４を備える。
またデータドライバ１１により選択され、供給される表示データ信号に応じた信号値Ｖｓｉｇを画素回路１０に対する入力信号として供給する信号線ＤＴＬ１、ＤＴＬ２・・・が、画素アレイ部２０に対して列方向に配されている。信号線ＤＴＬ１、ＤＴＬ２・・・は、画素アレイ部２０においてマトリクス配置された画素回路１０の列数分だけ配される。
【００２０】
また画素アレイ部２０に対して、行方向に走査線ＷＳＬ１，ＷＳＬ２・・・、走査線ＤＳＬ１，ＤＳＬ２・・・、走査線ＲＳＬ１，ＲＳＬ２・・・が配されている。これらの走査線ＷＳＬ、ＤＳＬ，ＲＳＬは、それぞれ、画素アレイ部２０においてマトリクス配置された画素回路１０の行数分だけ配される。
走査線ＷＳＬ（ＷＳＬ１，ＷＳＬ２・・・）は、画素回路１０への信号値Ｖｓｉｇの書込（ライトスキャン）を行うための走査線であり、ゲートドライバ１２により駆動される。ゲートドライバ１２は、設定された所定のタイミングで、行状に配設された各走査線ＷＳＬ１，ＷＳＬ２・・・に順次、走査パルスＷＳを供給して、画素回路１０を行単位で線順次走査する。
走査線ＤＳＬ（ＤＳＬ１，ＤＳＬ２・・・）はゲートドライバ１３により駆動される。ゲートドライバ１３は、有機ＥＬ素子の発光駆動のための走査パルスＤＳを、行状に配設された各電源線ＤＳＬ１，ＤＳＬ２・・・にそれぞれ所定タイミングで供給する。
走査線ＲＳＬ（ＲＳＬ１，ＲＳＬ２・・・）はゲートドライバ１４により駆動される。ゲートドライバ１４は、画素回路１０のリセット動作のための走査パルスＲＳを、行状に配設された各走査線ＲＳＬ１，ＲＳＬ２・・・にそれぞれ所定タイミングで供給する。
データドライバ１１は、ゲートドライバ１２による線順次走査に合わせて、列方向に配された信号線ＤＴＬ１、ＤＴＬ２・・・に対して、画素回路１０に対する入力信号としての信号値（Ｖｓｉｇ）を供給する。
【００２１】
図３に画素回路１０の構成を示している。この画素回路１０が、図２の構成における画素回路１０のようにマトリクス配置される。なお、図３では簡略化のため、信号線ＤＴＬと走査線ＷＳＬ、ＤＳＬ、ＲＳＬが交差する部分に配される１つの画素回路１０のみを示している。
実施の形態として採用できる画素回路１０の構成は多様に考えられるが、この例では、画素回路１０は、発光素子である有機ＥＬ素子３０と、１個の保持容量Ｃｓと、サンプリングトランジスタＴｒ１、駆動トランジスタＴｒ２、スイッチングトランジスタＴｒ３、リセット用トランジスタＴｒ４としての４個の薄膜トランジスタ（ＴＦＴ）とで構成されている。各トランジスタＴｒ１、Ｔｒ２、Ｔｒ３、Ｔｒ４はｎチャネルＴＦＴとされている。
【００２２】
保持容量Ｃｓは、一方の端子が駆動トランジスタＴｒ２のソースに接続され、他方の端子が同じく駆動トランジスタＴｒ２のゲートに接続されている。
画素回路１０の発光素子は例えばダイオード構造の有機ＥＬ素子３０とされ、アノードとカソードを備えている。有機ＥＬ素子１のアノードは駆動トランジスタＴｒ２のソースに接続され、カソードは所定の接地配線（カソード電位Ｖcath）に接続されている。
サンプリングトランジスタＴｒ１は、そのドレインとソースの一端が信号線ＤＴＬに接続され、他端が駆動トランジスタＴｒ２のゲートに接続される。またサンプリングトランジスタのゲートは走査線ＷＳＬに接続されている。
スイッチングトランジスタＴｒ３は、そのドレインとソースの一端が電源電圧Ｖｃｃに接続され、他端が駆動トランジスタＴｒ２のドレインに接続される。またスイッチングトランジスタＴｒ３のゲートは走査線ＤＳＬに接続されている。
リセット用トランジスタＴｒ４は、そのドレインとソースの一端が駆動トランジスタＴｒ２のソースに接続され、他端が所定のリセット電位Ｖｒｓに接続される。またリセット用トランジスタＴｒ４のゲートは走査線ＲＳＬに接続されている。
【００２３】
このような画素回路１０の動作を図４を参照して簡単に説明する。図４（ａ）は信号線ＤＴＬに与えられる信号値Ｖｓｉｇ、図４（ｂ）は水平同期信号ＨＳ、図４（ｃ）は走査線ＷＳＬからサンプリングトランジスタＴｒ１のゲートに与えられる走査パルスＷＳ、図４（ｄ）は走査線ＲＳＬからリセット用トランジスタＴｒ４のゲートに与えられる走査パルスＲＳ、図４（ｅ）は駆動トランジスタＴｒ２のゲート電圧Ｖｇ、図４（ｆ）は駆動トランジスタＴｒ２のソース電圧Ｖｓ、図４（ｇ）は走査線ＤＳＬからスイッチングトランジスタＴｒ３のゲートに与えられる走査パルスＤＳを、それぞれ示している。
【００２４】
水平同期信号ＨＳによって水平走査の開始時点が決められる。そして図における書込期間として、信号線ＤＴＬに信号値Ｖｓｉｇが印加される。この書込期間には、走査パルスＷＳによってサンプリングトランジスタＴｒ１が導通されることで、信号線ＤＴＬからの信号値Ｖｓｉｇが保持容量Ｃｓに書き込まれる。
また、この書込期間には、走査パルスＲＳによりリセット用トランジスタＴｒ４が導通され、保持容量Ｃｓの他端側がリセット電位Ｖｒｓとされる。これは保持容量Ｃｓの他端側の電位が不定であると、保持容量Ｃｓに書き込まれる電圧が、信号値Ｖｓｉｇと同じにならないためである。
結果として、この書込期間では、駆動トランジスタＴｒ２のゲート電圧は、保持容量Ｃｓへの信号値Ｖｓｉｇの書込に応じて上昇する。一方、駆動トランジスタＴｒ２のソース電圧Ｖｓは、リセット電位Ｖｒｓに維持される。
【００２５】
書込期間に続いて発光期間としての動作が行われる。発光期間では、走査パルスＷＳ、ＲＳがＬレベルとされてサンプリングトランジスタＴｒ１、リセット用トランジスタＴｒ４がオフとされ、一方、走査パルスＤＳによってスイッチングトランジスタＴｒ３が導通される。これによって駆動電源電圧Ｖｃｃからの電流供給により、駆動トランジスタＴｒ２が保持容量Ｃｓに保持された信号電位（即ち駆動トランジスタＴｒ２のゲート・ソース間電圧）に応じた電流を有機ＥＬ素子３０に流し、有機ＥＬ素子３０を発光させる。駆動トランジスタＴｒ２は飽和領域で動作し、有機ＥＬ素子３０に対して、信号値Ｖｓｉｇに応じた駆動電流を与える定電流源として機能する。
以上のような動作により画素回路１０の発光駆動が行われる。
なお、有機ＥＬ素子３０に電流が流れることで有機ＥＬ素子３０の両端電圧が上昇するため、発光期間当初は、これに伴って駆動トランジスタＴｒ２のゲート電圧Ｖｇとソース電圧Ｖｓが上昇する。
【００２６】
有機ＥＬディスプレイパネルモジュール１では、このような発光動作が、線順次駆動方式で実行される。
即ち１フレームの画像表示に関しては、図２のようにマトリクス状に配置された画素回路１０について、最上段のラインの画素回路１０から、１水平期間毎に順次各ラインのスキャンが行われて、順次各ラインの発光動作が行われる。
なお、１つの画素の発光期間は、図４からわかるように走査パルスＤＳのデューティによって決められる。各画素回路では、１フレーム期間中に書込期間と発光期間が確保されればよいため、発光期間は、書込期間を考慮した上で、１フレームに近い期間まで長くすることも可能である。
【００２７】
図１に戻って、本例の構成を説明する。
表示データ信号は、表示データ遅延部２及びライン内最大階調検出部６に供給される。
表示データ遅延部２は、表示データ信号に対して所定時間の遅延を与えて有機ＥＬディスプレイパネルモジュール１に供給する。この表示データ遅延部２による遅延は、ライン内最大階調検出部６から駆動電圧可変部５までの動作による電源電圧制御を、適切に表示内容に合わせて反映させるためであり、ライン内最大階調検出部６から駆動電圧可変部５までの処理遅延を考慮した時間を遅延させるものである。遅延時間については後述する。
有機ＥＬディスプレイパネルモジュール１では、上記構成により、供給された表示データ信号に基づいて各画素の発光駆動が行われる。
【００２８】
ライン内最大階調検出部６は、表示データ信号の１ラインごとの最大階調値を１画素の構成色ごとに検出する。
ここで検出する最大階調値とは、或る１ラインの各画素に与える輝度値のうちで、最も高輝度となる値のことであり、つまり１ライン内での、最も高輝度で発光させる画素に対する表示データ信号値のことである。
このような最大階調値を、Ｒ（赤）、Ｇ（緑）、Ｂ（青）の各表示色毎に検出する。
つまり１ラインにおける各Ｒ画素回路に対する表示データ信号について順次比較処理を行っていくことで、最も高輝度の値を、Ｒ最大階調値Ｓmax_hrとして検出する。同様にして、１ラインにおける各Ｇ画素回路に対する表示データ信号のうちで、最も高輝度の値を、Ｇ最大階調値Ｓmax_hgとして検出し、また１ラインにおける各Ｂ画素回路に対する表示データ信号のうちで、最も高輝度の値を、Ｂ最大階調値Ｓmax_hbとして検出する。
そして、この１ラインにおける色毎の最大階調値Ｓmax_hr、Ｓmax_hg、Ｓmax_hbを１Ｖ期間内最大階調検出部７に出力する。
なお、ライン内最大階調検出部６に１ライン分のメモリを用意し、１ライン期間の表示データ信号値を一時的に記憶して、その中からＲ、Ｇ、Ｂ各色毎の最大階調値を検出するようにしてもよい。
【００２９】
１Ｖ期間内最大階調検出部７では、水平期間毎に入力される各色毎の最大階調値Ｓmax_hr、Ｓmax_hg、Ｓmax_hbについて、それぞれ現在入力された最大階調値のラインから遡って１垂直期間（１フレーム期間）において、最大となる最大階調値を検出する。
例えば１Ｖ期間内最大階調検出部７は図５のように、比較演算部７１とＦＩＦＯ（First in First out）メモリ７２Ｒ、７２Ｇ、７２Ｂにより構成できる。入力される各色毎の最大階調値Ｓmax_hr、Ｓmax_hg、Ｓmax_hbは、それぞれＦＩＦＯメモリ７２Ｒ、７２Ｇ、７２Ｂに取り込まれる。
各ＦＩＦＯメモリ７２Ｒ、７２Ｇ、７２Ｂは、それぞれ例えば１フレーム期間に相当するライン数分だけの記憶領域が用意され、最新の入力データ（最大階調値）を記憶すると共に、最も古いデータ（最大階調値）を出力（この場合、破棄）するメモリとされる。
従って、ＦＩＦＯメモリ７２Ｒには、常に、現在のラインから遡って１フレーム相当のライン数における最大階調値Ｓmax_hrが記憶されているものとなる。同様に、ＦＩＦＯメモリ７２Ｇには、常に、現在のラインから遡って１フレーム相当のライン数における最大階調値Ｓmax_hgが記憶されており、ＦＩＦＯメモリ７２Ｂには、常に、現在のラインから遡って１フレーム相当のライン数における最大階調値Ｓmax_hbが記憶されている。
比較演算部７１は、ＦＩＦＯメモリ７２Ｒに記憶された各ラインの最大階調値Ｓmax_hrの中から、最も大きい階調値を抽出し、それを最大階調値Ｓmax_vrとして出力する。また比較演算部７１は、ＦＩＦＯメモリ７２Ｇに記憶された各ラインの最大階調値Ｓmax_hgの中から、最も大きい階調値を抽出し、それを最大階調値Ｓmax_vgとして出力する。さらに比較演算部７１はＦＩＦＯメモリ７２Ｂに記憶された各ラインの最大階調値Ｓmax_hbの中から、最も大きい階調値を抽出し、それを最大階調値Ｓmax_vbとして出力する。
１Ｖ期間内最大階調検出部７は、このような動作を、１ライン期間毎、つまりライン内最大階調検出部６から最大階調値Ｓmax_hr、Ｓmax_hg、Ｓmax_hbが入力される毎に実行する。
従って、１Ｖ期間内最大階調検出部７から出力される最大階調値Ｓmax_vr、Ｓmax_vg、Ｓmax_vbは、現在のラインから遡って１フレーム相当のライン数までの期間での、各色毎の最大階調値となる。
【００３０】
１Ｖ期間内最大階調検出部７は最大階調値Ｓmax_vr、Ｓmax_vg、Ｓmax_vbは最大両端電圧算出部３に出力する。
最大両端電圧算出部３は、各色ごとに存在するＩ−Ｖ特性を使用して作成された表示データ−ＥＬ両端電圧変換テーブルを備え、この変換テーブルを用いて、水平期間毎に入力されてくる各色の最大階調値Ｓmax_vr、Ｓmax_vg、Ｓmax_vbから有機ＥＬ素子３０の両端電圧（アノード−カソード間電圧）を求める。
そして求めた各色についての両端電圧のうちでの最大値を、最大両端電圧ＶEL(SMAX)として駆動電圧決定部４に出力する。この最大両端電圧ＶEL(SMAX)は、現在のラインから１フレーム期間相当遡ったライン数の期間において、最大となるアノード−カソード間電圧であり、つまり有機ＥＬディスプレイパネルモジュール１での現在のラインのスキャンタイミングとしての１水平期間において、発光表示を行っている全ての画素回路の有機ＥＬ素子３０の中で最も両端電圧が高くなっている有機ＥＬ素子３０の両端電圧値である。
【００３１】
駆動電圧決定部４は、水平期間毎に、入力されてくる最大両端電圧ＶEL(SMAX)から、最適Ｖｃｃ値を算出し、その情報を駆動電圧可変部５に出力する。
最適Ｖｃｃ値の算出手法は例えば次のようにする。まず仕様上の最大輝度条件における有機ＥＬ素子３０の両端電圧ＶEL(MAX)と、入力された現表示内容における最大両端電圧ＶEL(SMAX)との電圧差ΔＶELを算出する。そして、後述する初期電源電圧値（Ｖｃｃ_default）から電圧差ΔＶELを減算することで最適Ｖｃｃ値を算出する。
【００３２】
駆動電圧可変部５は、所定の初期電圧値として設定されている駆動電源電圧（Ｖｃｃ）について、電圧値を変換して有機ＥＬディスプレイパネルモジュール１に供給する。この駆動電圧可変部５から出力される駆動電源電圧Ｖｃｃは、有機ＥＬディスプレイパネルモジュール１の全ての画素回路１０に共通に供給される。
この駆動電圧可変部５は、入力されるＥＬ駆動電源電圧（初期電圧値）を、駆動電圧決定部４で決定される最適Ｖｃｃ値に変換し（最適ＥＬ駆動電源電圧）、有機ＥＬディスプレイパネルモジュール１に供給する。電圧変換手法の例については後述する。
【００３３】
このような本例の表示装置についての動作を説明していく。
まず、図６により、一般的な発光駆動用電源電圧Ｖｃｃの決定手法について述べる。ここで決定される一般的な電源電圧Ｖｃｃとは、本例では図１の駆動電圧可変部５に入力される段階（電圧値変換前）の初期電源電圧値となる。
【００３４】
図６では上述した画素回路１０を示しているが、駆動トランジスタＴｒ２が、そのゲート・ソース間電圧Ｖｇｓに対応した一定電流を流し続ける（飽和領域動作を保証する）ためには、ドレイン・ソース間電圧Ｖｄｓ間がある電位以上に保たれなくてはならない。その為の電位を図示するＶｄｓ(sat)とすると、電源電圧Ｖｃｃ−カソード電位Ｖcath間の電圧は、いかなる駆動環境／条件であろうとも、このドレイン・ソース間電圧Ｖｄｓ(sat)を割り込まないように決められることが一般的である。
電源電圧Ｖｃｃ−カソード電位Ｖcath間には、画素回路の構成上、最低使用環境温度／仕様最高輝度（仕様最大電流）における有機ＥＬ素子３０の最大両端（アノード−カソード間）電圧：ＶEL(MAX)と、上記のドレイン・ソース間電圧Ｖｄｓ(sat)、さらにスイッチングトランジスタＴｒ３のオン時に発生するワースト最大電圧：ＶＤＳ(on)の３つに、設計マージン分：Ｖmarginを加えた要素が存在する。このため、これらの加算で電源電圧Ｖｃｃが決定される。
【００３５】
決定される電源電圧Ｖｃｃ値を初期電源電圧Ｖｃｃ_defaultとすると、
Ｖｃｃ_default＝Ｖcath＋ＶEL(MAX)＋Ｖｄｓ(sat)＋ＶＤＳ(on)＋Ｖmargin
として算出される。
仕様から決まる輝度、即ち電流値Ｉｄｓは、有機ＥＬデバイスによって決まってしまい、駆動電圧に左右されないため、Ｖｃｃ_default×Ｉｄｓで算出される消費電力の低減化は、Ｖｃｃ_defaultを如何に下げられるかにかかっている。
【００３６】
従来は、このようにマージンを持った最大の定電圧（Ｖｃｃ_default）を、発光駆動電源電圧Ｖｃｃとして与え続けており、通常平均的に使用される階調を考えても無駄に電力を消費している状態が意外に多い。
本例では、有機ＥＬ素子３０の両端電圧ＶEL（アノード−カソード間電圧）が電流値Ｉｄｓ、つまり発光輝度の階調によって変化することに注目し、発光動作している各画素回路の中で最大の両端電圧ＶELに応じて電源電圧Ｖｃｃを可変することで、無駄な電力消費分を削減する。
【００３７】
特に言えば、上記の有機ＥＬ素子３０の最大両端電圧ＶEL(MAX)は、あくまでも最低使用環境温度／仕様最高輝度（仕様最大電流）を想定しているものであるが、常に最大の輝度の発光状態であるものではないにもかかわらず、このような最大両端電圧ＶEL(MAX)を考慮して電源電圧Ｖｃｃを決めなければならないため、無駄な電力消費が生じていた。
そこで本例では、階調に応じて変動する有機ＥＬ素子３０の両端電圧ＶELの変動に応じて、電源電圧Ｖｃｃを可変する。つまりは、上記のＶｃｃ_default算出式におけるＶEL(MAX)が低下する分だけ、電源電圧Ｖｃｃを低下させるという考え方で、無駄な電力消費分を削減することを基本とする。
【００３８】
図７は有機ＥＬ素子３０のＩ−Ｖ特性を示している。有機ＥＬ素子に流れる電流Ｉｄｓと有機ＥＬ素子３０の両端電圧ＶELの特性である。
図からわかるように有機ＥＬ素子３０のＩ−Ｖ特性は、流れる電流値に応じて、両端電圧が大きく変動する。例えば有機ＥＬ素子３０に流れる電流Ｉｄｓの値が「ａ」であるときは両端電圧ＶEL＝ＶEL(a)となり、有機ＥＬ素子３０に流れる電流Ｉｄｓの値が「ｂ」であるときは両端電圧ＶEL＝ＶEL(b)となる。
また、このような両端電圧ＶELの変動比率は、Ｒ、Ｇ、Ｂの各色毎でも異なる。
【００３９】
上記のようにＶｃｃ_default算出式におけるＶEL(MAX)は、最大階調での仕様上の最大電流における両端電圧であるが、この図７の特性から、最大階調の電流量とはならない限り、上記式でＶEL(MAX)を用いて算出した初期電源電圧値Ｖｃｃ_defaultを与えなくてもよいことがわかる。仮に、電流Ｉｄｓの値が「ａ」であって両端電圧ＶEL＝ＶEL(a)である時点では、上記式を「Ｖcath＋ＶEL(a)＋Ｖｄｓ(sat)＋ＶＤＳ(on)＋Ｖmargin」と変形して算出される電源電圧値以上となるようにすれば問題ない。
従って、１画面上で表示されている画像内容において、最大階調となっている画素回路１０における有機ＥＬ素子３０の両端電圧ＶELを判別することで、初期電源電圧Ｖｃｃ_defaultからの低減可能量（低下させても画質劣化を引き起こさない電圧値低下量）を求めることができる。
このような処理を、上記最大両端電圧算出部３と駆動電圧決定部４で行うものである。即ち上述した、最大両端電圧算出部３は、画面上での最大両端電圧ＶEL(SMAX)を求め、駆動電圧決定部４は、仕様上の最大輝度条件における有機ＥＬ素子３０の両端電圧ＶEL(MAX)と、入力された現表示内容における最大両端電圧ＶEL(SMAX)との電圧差ΔＶELを算出する。この電圧差ΔＶELが、電源電圧の低減可能量となる。従って、初期電源電圧値Ｖｃｃ_defaultから電圧差ΔＶELを減算することで最適Ｖｃｃ値が算出できる。
【００４０】
最大両端電圧算出部３は、画面上での最大両端電圧ＶEL(SMAX)を求めるものとなるが、このためには、図７のようなＩ−Ｖ特性に基づいて電流値に応じた両端電圧ＶELの値を予め測定して生成した変換テーブルを備えているようにすればよい。Ｉ−Ｖ特性は色毎によっても異なるため、この変換テーブルを色毎に備えることで、上述のとおり、入力されてくる各色の最大階調値Ｓmax_vr、Ｓmax_vg、Ｓmax_vbについて、それぞれ有機ＥＬ素子３０の両端電圧ＶELを求めることができる。そして、その各色についての両端電圧のうちでの最大値を、最大両端電圧ＶEL(SMAX)とすればよい。
【００４１】
基本的には、このように画面内での最大両端電圧ＶEL(SMAX)に基づいて最適な電源電圧値を求めればよいわけであるが、ここで線順次スキャン方式による事情を考慮しなければならない。
【００４２】
図８は、線順次スキャン方式における、１フレームデータの発光期間一例について説明したものである。
１フレームの表示データは、ブランキング期間を挟んで、フレーム＃ｍ→フレーム＃ｍ＋１のように入力され、発光表示されていく。線順次駆動においては、最上段のラインから、１Ｈ（１水平期間）ずつ発光表示が開始（スキャン）されていき、ブランキング期間を除いた約１Ｖ期間（１垂直期間）をかけて、表示データを更新表示が行われるが、各ラインは、発光が開始されてから最大で約１Ｖ期間発光が継続する。（ラインごとの発光期間は１フレーム内の表示データ発光において同一になる。）
例えば図８では、最上段ラインＬ１〜最下段ラインＬｎについての発光期間の例を示している。例えば発光期間が１Ｖ期間に近い程度まで長く設定されるとする。
フレーム＃ｍのラインＬ１から、ラインＬ２，Ｌ３・・・と順にスキャンされていくが、各ラインの画素回路では、矢印で示す期間、発光動作を行う。そしてフレーム＃ｍの最下段ラインＬｎがスキャンされた後は、ブランキング期間を経て、フレーム＃ｍ＋１のラインＬ１から順にスキャンされていく。
フレーム＃ｍ＋１のラインＬ１から順にスキャンが開始された後も、前のフレーム＃ｍにおける下段側のラインは、まだ発光動作が継続されている。
【００４３】
ここで、例えばフレーム＃ｍ＋１におけるラインＬｘのスキャンタイミングに注目してみると、このラインＬｘの発光が開始される１Ｈ期間としての瞬間では、フレーム＃ｍ＋１におけるラインＬ１〜Ｌｘまでの画像と、前のフレーム＃ｍのラインＬｘ＋１〜Ｌｎまでの発光が行われていることになり、図中右側に示すような画像内容となっている。
つまり、ある瞬間での発光内容を切出してみると、現在スキャンが行われているフレームと、表示が更新される前の前フレームの内容の表示が混在しているケースがほとんどであり、その時に発光している前フレームの内容は、丁度１Ｖ前に発光されたものを最古に存在している。
【００４４】
従って、仮にフレーム＃ｍ＋１のスキャンが開始される時点で、フレーム＃ｍ＋１における全画素内での最大階調値（最大両端電圧）に基づいて決定された電源電圧値を与えたとしても、実際にはまだフレーム＃ｍの表示が残されているため、電源電圧値が適切に表示内容に合わせて制御されているものとはならない。
つまり、可変制御する電源電圧値を的確に表示内容に応じて制御するには、各ラインのスキャンタイミングにおいて、表示されている画像内容を考慮する必要がある。
そして、ある瞬間瞬間の発光内容における画素状態を適切に把握するためには、現スキャンラインから１Ｖ前までの情報があれば良いということになる。この期間において、最大階調値が構成色ごとに抽出できれば良い。
そのため、本例ではライン内最大階調検出部６、１Ｖ期間内最大階調検出部７において、表示データ信号について、１ライン期間毎に、現在の水平ラインから遡った所定ライン数の範囲（１フレーム相当のライン数の範囲）における最大階調値を検出するようにしている。
【００４５】
このような線順次スキャンを考慮した本例の低消費電力化のための処理手順を図９で説明する。
上述のように発光駆動用の電源電圧Ｖｃｃは、図１に示した駆動電圧可変部５で可変して有機ＥＬディスプレイパネルモジュール１に供給するが、図９は、この電源電圧可変のための動作であり、以下の＜Ｓ１＞〜＜Ｓ５＞としての各処理が行われ、駆動電圧可変部５に最適Ｖｃｃ値の情報が供給される。
【００４６】
まず処理＜Ｓ１＞として、ライン内最大階調検出部６は表示データ信号から、１ラインにおける色毎の最大階調値Ｓmax_hr、Ｓmax_hg、Ｓmax_hbを検出する。この最大階調値Ｓmax_hr、Ｓmax_hg、Ｓmax_hbは１Ｖ期間内最大階調検出部７に送られる。
次に処理＜Ｓ２＞として、１Ｖ期間内最大階調検出部７が、現在のラインから遡って１Ｖ期間（例えば１フレーム相当のライン数の期間）での色毎の最大階調値Ｓmax_vr、Ｓmax_vg、Ｓmax_vbを検出し、これらを最大両端電圧算出部３に出力する。
【００４７】
次に処理＜Ｓ３＞として、最大両端電圧算出部３は、各色ごとに存在するＩ−Ｖ特性を使用して作成された表示データ−ＥＬ両端電圧変換テーブルを用いて、入力された各色の最大階調値Ｓmax_vr、Ｓmax_vg、Ｓmax_vbのそれぞれについての有機ＥＬ素子３０の両端電圧ＶELを求める。そして求めた各色についての両端電圧のうちでの最大値を、最大両端電圧ＶEL(SMAX)として駆動電圧決定部４に出力する。
処理＜Ｓ４＞では、駆動電圧決定部４が、最大輝度条件における有機ＥＬ素子３０の両端電圧ＶEL(MAX)と、入力された現表示内容における最大両端電圧ＶEL(SMAX)との電圧差ΔＶELを算出する。
そして処理＜Ｓ５＞として、駆動電圧決定部４は最適Ｖｃｃ値を次のように算出する。
最適Ｖｃｃ値＝（初期電源電圧値Ｖｃｃ_default）−（電圧差ΔＶEL）
この最適Ｖｃｃ値は、スキャンタイミングとなったラインから１Ｖ期間分遡った画像内容に合わせた最適Ｖｃｃ値である。
この最適Ｖｃｃ値の情報は、駆動電圧可変部５に送られ、発光駆動用電源電圧Ｖｃｃの低減変換が行われる。
【００４８】
図１０は、駆動電圧可変部５の構成の一例を示している。例えば図のように電源可変コントロール部５１，デジタルポテンショメータ５２、抵抗Ｒ１を備えた構成とされる。
電源可変コントロール部５１は、入力電圧Ｖｉｎについて電圧可変した出力電圧Ｖｏｕｔを得る。
一般的な、電源可変コントロール回路は、スイッチングレギュレータとシリーズレギュレータに大別されるが、出力電圧Ｖｏｕｔを可変コントロールする手法は基本的に同一である。電圧可変量を比較的多く取りたい場合は、効率の関係上スイッチングレギュレータが選択されることがほとんどである。
電源可変コントロール部５１には、出力電圧をある電位でフィードバックさせるためのＦＢ端子が設けられており、この電位をある一定値に保とうとする動作で出力電圧を安定化させる。ＦＢ電位は一般的に１〜３Ｖ程度であるため、出力電圧を抵抗分圧し、ＦＢ端子に接続する構成により、電圧可変制御が可能となる。
即ちＦＢ電位はある値（例えば２Ｖ）で決められているため、出力電圧を可変させるためには抵抗分圧の比を変えてやれば良い。
このために一方を固定抵抗Ｒ１、もう一方を抵抗値可変のディジタル制御が可能なディジタルポテンショメータ５２を使用する。駆動電圧決定部４が、最適Ｖｃｃ値を得るためのデジタル値をデジタルポテンショメータ５２に供給し、抵抗値を可変制御することで、出力電圧Ｖｏｕｔ、即ち発光駆動用電源電圧Ｖｃｃをコントロールできる。
【００４９】
上記図９の処理＜Ｓ１＞〜＜Ｓ５＞の処理が１Ｈ期間毎に行われ、これによって駆動電圧可変部５で、１Ｈ期間毎に電源電圧Ｖｃｃが可変制御される。
このようにして電源電圧Ｖｃｃが可変制御されることで、有機ＥＬ素子３０のＩ−Ｖ特性を利用し、存在する全画素の発光状態から最大で発光しているものに合わせ、確実に電源電圧Ｖｃｃ値の下げすぎを防止ししながら、最大限Ｖｃｃ値を低減コントロールすることが出来る。
【００５０】
なお、可変制御された電源電圧Ｖｃｃの供給と、可変制御にための基準となった現在のラインのスキャンタイミングは、適切に合致されなければならない。従って、ライン内最大階調検出部６での処理から駆動電圧可変部５での電源電圧Ｖｃｃの可変制御までの処理時間によって発生する応答遅れを補正するために、表示データ遅延部２が設けられている。
表示データ遅延部２において、表示データの入力から、最適Ｖｃｃ値の算出までの遅延と、電源電圧Ｖｃｃ値の変換にかかる応答遅れを補正し、最適Ｖｃｃ値を適切に発光状態に反映させるのに必要なラインメモリ量の算出例は次のようになる。
遅延を発生させる要因は、「（１）１Ｈの最大階調値の算出〜最適Ｖｃｃ値を算出するまでの遅延」と「（２）駆動電源可変部５が最適Ｖｃｃ値の情報を受け取ってから、その電圧値になるまでの遅延」に分けられる。
上記（１）については、１Ｈの最大階調値を算出するため、最低でも“１Ｈ”の遅延が発生する。上記（２）については、電源変換回路の性能にもよるが、この応答遅れを“αＨ”と仮定する。（一般的に数Ｈ程度が可能であると考えられる。）
したがって、表示データ遅延部２では、（１＋α）×Ｈ分のラインメモリを用意し、データ遅延を行うだけで、最適Ｖｃｃ値を確実に反映させることが可能になる。このため表示データ遅延部２としては、フレームメモリなどの大容量のものは必要とせず、わずかな遅延分を補正させるのみのライン単位のメモリ量（データ遅延）で十分である。
【００５１】
以上のように本実施の形態では、有機ＥＬ素子３０のＩ−Ｖ特性による両端電圧ＶELの変動に応じて電源電圧Ｖｃｃを低減させることで低消費電力を実現し、さらに、この動作を線順次スキャン方式での発光動作に適切に対応させることで、輝度低下による画質低下を招かない状態で、省電効果を得ることができる。
そして、自発光型フラットパネルディスプレイの画質低下を視認させないように低消費電力化を図ることが実現できるため、表示装置をバッテリ動作機器とすれば、動作時間を長時間化することに貢献し、またＡＣコンセントから電源を得る機器であれば節電や電気代の節約に貢献できることになる。
【００５２】
発光輝度に影響を与えない範囲で電源電圧Ｖｃｃを可変できるのは、映像信号（表示データ信号）から、現在のラインから遡って例えば１フレーム相当期間での最大階調値を検出していることによる。つまり、或るラインのスキャンタイミングで表示されている表示内容での最大階調値の画素の両端電圧ＶELを基準にして電源電圧Ｖｃｃを決めているためである。
なお、画素回路１０の発光期間は、最大でも１フレームに近い期間であるが、例えば図４で示した走査パルスＤＳのデューティ設定によっては、短くされる場合もある。
本例では、或るラインのスキャンタイミングで表示されている内容において最大階調値を検出すればよいことから、最大階調値は、現在のラインから遡った１フレーム相当のライン数とする他、或る水平ラインの画素発光が開始される水平期間において、発光期間となっているラインの総数に相当するライン数の範囲での最大階調値としてもよい。即ちあくまでも、或るラインスキャンのタイミングで、発光期間の動作が行われている全ての画素としてのライン数の範囲で、最大階調値を検出すれば、画面内容としての最大階調値が適切に反映されるためである。
【００５３】
また発光駆動用電源電圧Ｖｃｃは、駆動電圧可変部５で得られるが、この駆動電圧可変部５をシリーズレギュレータや降圧型スイッチングレギュレータによって構成すれば、電源電圧値を下げた場合に、有機ＥＬディスプレイパネルモジュール１で消費している電力をレギュレータ側に移すことで、有機ＥＬディスプレイパネルモジュール１自体で消費している電力を下げ、有機ＥＬデバイスの温度を低く抑えることとなる。
または、駆動電圧可変部５を、ある出力電圧範囲の間において、変換効率の変化しない／変化が少ない昇圧型スイッチングレギュレータによって構成すれば、電源電圧値を下げた場合に、有機ＥＬディスプレイパネルモジュール１自体で消費している電力を下げ、有機ＥＬデバイスの温度を低く抑えるようにすることに加え、機器全体の消費電力をも下げられるようになる。
【００５４】
実施の形態としては、多様な変形例が考えられる。
例えば上記例では、全ての画素回路に共通の電源電圧Ｖｃｃを与える構成を示したが、画素回路１０としては、Ｒ（赤）用画素回路、Ｇ（緑）用画素回路、Ｂ（青）用画素回路が配列されている。これら色毎の画素回路に対してそれぞれ電源電圧Ｖｃｃラインを独立して設け、上記電源電圧Ｖｃｃの可変処理を色毎に行うようにしてもよい。
その場合、各色についての最大階調値から求められる有機ＥＬ素子３０の両端電圧に基づいて、その色の電源電圧の可変制御を行うようにすればよい。
また、上記例では、表示信号検出部３では色別の最大階調値を検出したが、色を区別しないで最大階調値を検出し、その最大階調値から各色のＩ−Ｖ特性から求めた平均的なＩ−Ｖ特性により有機ＥＬ素子３０の両端電圧を求め、それに基づいて最適Ｖｃｃ値を求めるという手法も考えられる。
【００５５】
また上記例では、有機ＥＬ素子３０の両端電圧ＶELを、階調に応じて求めるようにしているが、両端電圧ＶELは、環境温度による変動もある。
このため、例えば温度検出部を設けて温度情報を最大両端電圧算出部３に与えるようにし、最大両端電圧算出部３は、最大階調値と温度情報を用いて、最大両端電圧を算出するようにすることも考えられる。
【００５６】
また有機ＥＬディスプレイパネルモジュール１における画素回路構成を図３に示したが、本発明は、図３以外の画素回路構成を採用する場合も適用できる。特にアクティブマトリクス方式で画素駆動を行う表示装置に好適である。
【図面の簡単な説明】
【００５７】
【図１】本発明の実施の形態の表示装置の構成のブロック図である。
【図２】実施の形態の有機ＥＬディスプレイパネルモジュールの説明図である。
【図３】実施の形態に画素回路の説明図である。
【図４】実施の形態の画素回路の動作の説明図である。
【図５】実施の形態の１Ｖ期間内最大階調検出部の構成例の説明図である。
【図６】実施の形態で採用する画素回路における一般的な電源電圧決定の説明図である。
【図７】有機ＥＬ素子のＩ−Ｖ特性の説明図である。
【図８】線順次スキャンによる表示状態の説明図である。
【図９】実施の形態の最適Ｖｃｃ値算出処理の説明図である。
【図１０】実施の形態の駆動電圧可変部の説明図である。
【符号の説明】
【００５８】
１  有機ＥＬディスプレイパネルモジュール、２  表示データ遅延部、３  最大両端電圧算出部、４  駆動電圧決定部、５  駆動電圧可変部、６  ライン内最大階調検出部、７  １Ｖ期間内最大階調検出部、１０  画素回路、１１  データドライバ、１２，１３，１４  ゲートドライバ、２０  画素アレイ部、３０  有機ＥＬ素子、Ｃｓ  保持容量、Ｔｒ１  サンプリングトランジスタ、Ｔｒ２  駆動トランジスタ、Ｔｒ３  スイッチングトランジスタ
【図１】
0005034805.tif 000002
【図２】
0005034805.tif 000003
【図３】
0005034805.tif 000004
【図４】
0005034805.tif 000005
【図５】
0005034805.tif 000006
【図６】
0005034805.tif 000007
【図７】
0005034805.tif 000008
【図８】
0005034805.tif 000009
【図９】
0005034805.tif 000010
【図１０】
0005034805.tif 000011